(57)【要約】【課題】本発明の課題は、筋肉への負荷のバリエーションを広げることである。【解決手段】本発明は、一対のガイドバーと、前記ガイドバーに案内されて昇降可能なスライド部と、前記各スライド部に取り付けられたバーベルと、前記ガイドバーに並設された一対の支持バーと、前記ガイドバーと前記支持バーとの間に設けられたストッパーとを有し、前記バーベルは折曲部を有してなり、前記ストッパーは前記バーベルより下方位置に設けられた筋力鍛錬機である。【選択図】図１
2020116131.tif 000002
【特許請求の範囲】
【請求項１】
筋力鍛錬機であって、
一対のガイドバーと、
前記ガイドバーに案内されて昇降可能なスライド部と、
前記各スライド部に取り付けられたバーベルと、
前記ガイドバーに並設された一対の支持バーと、
前記ガイドバーと前記支持バーとの間に設けられたストッパーと
を有し、
前記バーベルは折曲部を有してなり、
前記ストッパーは前記バーベルより下方位置に設けられた
筋力鍛錬機。
【請求項２】
前記ストッパーは前記ガイドバーに案内されて昇降可能である
請求項１に記載の筋力鍛錬機。
【請求項３】
前記支持バーを挟んで前記ガイドバーに平行配置された一対の第２のガイドバーと、
前記第２のガイドバーに案内されて昇降可能第２のスライド部と、
前記各第２のスライド部に取り付けられた第２のバーベルと
を有し、
前記第２のバーベルはシャフトがストレートである
請求項１又は請求項２に記載の筋力鍛錬機。
【請求項４】
前記バーベルが挿通される孔を有する係止部材を有し、
前記係止部材を前記支持バーに掛け止めた時、前記孔に前記バーベルが挿通される方向に対する垂直面に投影される前記係止部材の傾斜角と前記バーベルの折曲部の傾斜角とが略同じである
請求項１から請求項３のいずれかに記載の筋力鍛錬機。
【発明の詳細な説明】
【技術分野】
【０００１】
本発明は筋力鍛錬機に関する。
【背景技術】
【０００２】
筋力トレーニングは、筋肉に反復して負荷を与えて刺激する運動である。筋肉に負荷を与える器具として用いられて来たものとしてバーベルがある。バーベルは、直線状のバー（棒）の端部に円盤状の錘を取り付けたトレーニング用の器具である。バーベルを使ったトレーニングは、バーベルを上下方向に動かす上下運動により行われる。この上下運動の際に、左右のバランスが崩れてふらつくことがある。このため、トレーニングの初心者には扱いにくく敬遠されがちである。そこで、初心者でも安心して扱えるように作られたのがスミスマシン（商品名）である。
【０００３】
スミスマシンは、ラックと言われるマシンのフレーム枠内に取り付けられたガイド棒に沿ってバーベルが昇降するマシンである。このマシンは、単一角度での昇降であるため、負荷を与える筋肉の部位が一定になってしまう問題があった。この問題を解決するために、特許文献１のスミスマシンが作成された。
【先行技術文献】
【特許文献】
【０００４】
【特許文献１】特表２０１８−５３７１７１号公報
【発明の概要】
【発明が解決しようとする課題】
【０００５】
特許文献１には、ガイド棒の角度を可動式にして、地面と垂直の角度以外にもガイド棒を固定できるスミスマシンが開示されている。
【０００６】
特許文献１のスミスマシンでは、角度によって負荷を与える筋肉の部位が広がったが、同じ筋肉の部位における負荷のバリエーションという点での課題が残っていた。
【課題を解決するための手段】
【０００７】
本発明の課題を解決するための手段は、筋力鍛錬機であって、一対のガイドバーと、前記ガイドバーに案内されて昇降可能なスライド部と、前記各スライド部に取り付けられたバーベルと、前記ガイドバーに並設された一対の支持バーと、前記ガイドバーと前記支持バーとの間に設けられたストッパーとを有し、前記バーベルは折曲部を有してなり、前記ストッパーは前記バーベルより下方位置に設けられる。
【発明の効果】
【０００８】
本発明によると、筋肉への負荷のバリエーションを広げることが可能となる。
【図面の簡単な説明】
【０００９】
【図１】第１の実施の形態の筋力鍛錬機の斜視図
【図２】第１の実施の形態の筋力鍛錬機の正面図
【図３】第１の実施の形態の筋力鍛錬機の背面図
【図４】第１の実施の形態の筋力鍛錬機の左側面図
【図５】第１の実施の形態の筋力鍛錬機の右側面図
【図６】第１の実施の形態の筋力鍛錬機の底面図
【図７】第１の実施の形態の筋力鍛錬機の平面図
【図８】係止部材とバーベルの位置関係の一例を説明するための図
【図９】連結部の一例を示した図
【図１０】連結部の一例を示した図
【図１１】第１の実施の形態の筋力鍛錬機の他の例の斜視図
【図１２】支持バー及び被係止部の一例を示した図
【図１３】被係止部及び係止部材一例を示した図
【図１４】第２の実施の形態の筋力鍛錬機の斜視図
【発明を実施するための形態】
【００１０】
本発明の筋力鍛錬機が図面を参照して具体的に説明される。本発明の筋力鍛錬機はスミスマシンの名称で広く知れ渡っている構造を有する。図において、対を成している構成要素には同一の番号を付し、番号の後ろに異なるアルファベットを付して説明する。アルファベットが異なっていても、番号が同一であれば、その部分は同じ構成及び動作をする。
【００１１】
〈第１の実施の形態〉
図１から図７は、本発明の筋力鍛錬機の第１の実施形態に係る構成図である。図面では、ユーザが筋力鍛錬機に出入りする箇所を筋力鍛錬機の正面と位置付けている。図１は筋力鍛錬機の斜視図である。図２は筋力鍛錬機の正面図である。図３は筋力鍛錬機の背面図である。図４は筋力鍛錬機の左側面図である。図５は筋力鍛錬機の右側面図である。図６は底面図である。図７は筋力鍛錬機の平面図である。図２から図７において、バーベル６０が部分意匠として登録される要件を満たす為、バーベル６０以外は点線で示されている。
【００１２】
本発明の筋力鍛錬機１は、フレーム部１０、ガイドバー２０、支持バー３０、被係止部４０、スライド部５０、バーベル６０、係止部材７０、連結部８０、及びストッパー９０を具備する。
【００１３】
フレーム部１０は、略コの字型の土台１１と、支柱１２（１２ａ，１２ｂ）と、左右の桁１３（１３ａ，１３ｂ）と、梁１４とで組み立てられた枠体である。土台１１の各角の上に支柱１２（１２ａ，１２ｂ）が垂直に立設されている。桁１３（１３ａ，１３ｂ）が正面側向いて、支柱１２（１２ａ，１２ｂ）の上端部の位置に、且つ、支柱１２に対して垂直に、連結されている。桁１３ａと桁１３ｂとの間（又は、支柱１２ａと支柱１２ｂとの間）に梁１４が架設されている。
【００１４】
ガイドバー２０（２０ａ，２０ｂ）は、支柱１２（１２ａ，１２ｂ）に対峙して、土台１１上に垂直に立設された支柱である。各ガイドバー２０（２０ａ，２０ｂ）には、スライド部５０（５０ａ，５０ｂ）とストッパー９０（９０ａ，９０ｂ）とが取り付けられている。
【００１５】
支持バー３０（３０ａ，３０ｂ）は、ガイドバー２０に対峙して、土台１１上に垂直に立設された支柱である。支持バー３０（３０ａ，３０ｂ）は、ガイドバー２０（２０ａ，２０ｂ）と支柱１２（１２ａ，１２ｂ）との間に設けられている。被係止部（ビス（或いは凸部））４０（４０ａ，４０ｂ）が、各支持バー３０（３０ａ，３０ｂ）の所定の位置に所定の間隔（例えば、等間隔）で設けられている。
【００１６】
スライド部５０（５０ａ，５０ｂ）は、各ガイドバー２０（２０ａ，２０ｂ）にスライド可能に取りつけられている。スライド部５０はガイドバー２０に案内されて昇降可能である。
【００１７】
バーベル６０はフレーム部１０に横架されている。バーベル６０は、例えばスライド部５０ａとスライド部５０ｂとに、連結部８０を介して取り付けられている。バーベル６０は棒状の部材である。この棒状部材（バーベル６０）の両端に錘（プレート）が取り付けられる。バーベル６０は、大別して、三つの部位からなっている。錘（プレート）が取り付けられる両端の個所（スリーブ６１（６１ａ，６１ｂ）と称される個所）と、前記スリーブ６１ａと前記スリーブ６１ｂとの間の中央個所（シャフト６２と称される個所）とを具備する。シャフト６２の一部は、凹状（逆方向から見ると凸状）に折曲された形状である。前記形状は、シャフト６２の中央部分が略台形に折曲された形状である。しかし、この形状に限られない。例えば、略半円、略半楕円、又は略四角の形状であっても良い。即ち、ユーザがバーベル６０を上下運動する際に、ユーザの身体の一部が前記折曲によってできた空間内に収容できる形状であれば良い。スリーブ６１（６１ａ，６１ｂ）の直径とシャフト６２の直径とは如何なる関係でも良い。しかし、好ましくは、スリーブ６１（６１ａ，６１ｂ）の直径はシャフト６２の直径より大きい。
【００１８】
係止部材７０（７０ａ，７０ｂ）は係止部７１（７１ａ，７１ｂ）を具備する。係止部７１（７１ａ，７１ｂ）は、例えば釣り針形状である。前記係止部７１（７１ａ，７１ｂ）が被係止部４０（４０ａ，４０ｂ）に引っ掛けられることにより、係止部材７０（７０ａ，７０ｂ）は固定される。係止部材７０（７０ａ，７０ｂ）は孔７２（７２ａ，７２ｂ）を有する。前記孔７２の形成位置は、先端側に在る係止部７１とは反対側の位置である。前記孔７２にバーベル６０が挿通されている。係止部材７０（７０ａ，７０ｂ）はバーベル６０に固着されている。バーベル６０が回動すると、係止部材７０も回動する。ユーザはバーベル６０を回動（結果的には、係止部材７０を回動）させて係止部７１（７１ａ，７１ｂ）を被係止部４０（４０ａ，４０ｂ）に引っかけることにより、バーベル６０が任意の高さにセットされる。
【００１９】
バーベル６０と係止部材７０との関係について説明する。図８（１）は、係止部７１が被係止部４０に引っ掛けられた状態（掛止部材７０の掛止状態（固定状態））において、掛止部材７０の傾斜角を説明する図である。図８（１）には、掛止部材７０の傾斜角を説明する図として、斜視図と側面図とが示されている。図８（２）は、係止部７１が被係止部４０に引っ掛けられた状態において、バーベル６０の傾斜角を説明する図である。図８（２）には、バーベル６０の傾斜角を説明する図として、斜視図と側面図とが示されている。図８では３次元の直交座標（Ｘ軸−Ｙ軸−Ｚ軸）を仮想する。孔７２にバーベル６０を挿通する方向がＸ軸である。Ｙ軸方向は鉛直方向である。Ｘ軸及びＹ軸に垂直の方向（水平方向）がＺ軸である。係止部材７０の回動支点（孔７２の中心）が直交座標の原点０である。従って、バーベル６０の回動支点（スリーブ６１の中心）が原点０である。このような係止部材７０の掛止状態（固定状態）において、Ｙ−Ｚ面（Ｘ軸の垂直面）に投影された係止部材７０の仰角が傾斜角である。この時の方向が傾斜方向である。同様に、前記状態において、Ｙ−Ｚ面に投影されたシャフト６２の傾斜をバーベル６０の傾斜方向である。
【００２０】
バーベル６０と孔７２との関係（バーベル６０と掛止部材７０との取付・固定関係）は、好ましくは、前記係止部材７０の傾斜方向と前記バーベル６０の傾斜方向とが同じ方角を保持させることである。すなわち、図８（２）のＸ−Ｙ−Ｚ軸をＸ軸方向にスライドさせて図８（１）のＸ−Ｙ−Ｚ軸に重ねた際、前記二つの傾斜方向のベクトルが重なるように構成する。このように構成させていると、ユーザがバーベル６０を任意の高さに固定する際、バーベル６０の傾斜方向を意識して回動させると、係止部７１を被係止部４０に係止することができる。
【００２１】
連結部８０（８０ａ，８０ｂ）はスライド部５０とバーベル６０とを結合する部材である。図９に連結部８０の拡大図を示す。連結部８０は、スライド部側の板状部材８１（８１ａ，８１ｂ）とバーベル側の板状部材８２（８２ａ，８２ｂ）とから構成されている。スライド部側の板状部材８１は、２枚の板状部材を具備する。バーベル側の板状部材８２には孔８３（８３ａ，８３ｂ）が設けられている。バーベル６０は孔８３に挿通されているのみである。バーベル６０は板状部材８２（８２ａ，８２ｂ）には固定されていない。従って、バーベル６０を回動させても板状部材８２（８２ａ，８２ｂ）は回動しない。バーベル６０は孔８３の内側で空転するのみである。
【００２２】
スライド部側の板状部材８１とバーベル側の板状部材８２とはＴ字状に連結されている。スライド部側の板状部材８１はスライド部５０に接合・固定されている。連結部８０を介してスライド部５０とバーベル部６０とが連結されているため、ユーザがバーベル６０を上下に昇降させる際、バーベル６０がスライド部５０と共にガイドバー２０に案内される形で上下に昇降する。
【００２３】
上記にあっては、連結部８０はスライド部側の板状部材８１とバーベル側の板状部材８２とを具備する例で説明された。しかし、これに限られない。例えば、スライド部５０にバーベル側の板状部材８２が接合・固定される場合でも良い（図１０参照）。
【００２４】
ストッパー９０（９０ａ，９０ｂ）は、ガイドバー２０（２０ａ，２０ｂ）と支持バー３０（３０ａ，３０ｂ）との間に横架された部材である。ユーザは、ストッパー９０（９０ａ，９０ｂ）をバーベル６０より下の任意の高さに横架する。ストッパー９０がバーベル６０より下に配置されることにより、バーベル６０の落下はストッパー９０が横架されている位置で止められる。故に、ユーザが筋力トレーニング中にバーベル６０の重さに耐えられず、係止部７１を被係止部４０に係止できない事態になっても、ストッパー９０がバーベル６０を支える（受け止める）ことになるので、ユーザがバーベル６０の下敷きになることが無い。上記例の図面では、ストッパー９０（９０ａ，９０ｂ）が被係止部４０（４０ａ，４０ｂ）に係止する部分は凹形状（先端部が一部切り欠いた形状）であるが、これに限られない。
【００２５】
ストッパー９０は、スライド部５０より下の位置に、各ガイドバー２０にスライド可能に取りつけられるのが好ましい。このような構成の場合、ユーザはストッパー９０をガイドバー２０に案内される形で昇降させて、ストッパー９０を被係止部４０に係止する。このような構成にすると、ストッパー９０をガイドバー２０から簡単に取り外すことが出来ないため、紛失が防止される。
【００２６】
上述の実施形態の筋力鍛錬機によると、筋肉への負荷のバリエーションを広げることが可能となる。これは、シャフト６２が折曲しているためである。すなわち、この折曲している空間にユーザの身体の一部が入ることが出来る。その結果、バーベル６０の上下運動の可動域と共に伸縮する筋肉の部位も広がる。
【００２７】
上記例では、ガイドバー２０及び支持バー３０が土台１１に対して垂直になる例で説明された。しかし、ガイドバー２０と支持バー３０とが互いに平行であれば、垂直でなくても良い。ガイドバー２０と支持バー３０とが平行に傾斜していても良い（図１１参照）。
【００２８】
上記例では、支持バー３０にビス状の被係止部４０が取り付けられた例である。しかし、これに限られない。支持バー３０をラダー状（梯子状）の支柱にしても良い（図１２参照）。この場合、踏桟が被係止部４０となる。他にも、鉤型の被係止部が連なった部材を支持バー３０に取り付ける構成であっても良い（図１３参照）。この場合、係止部材７０は、２枚の板状の部材の間に棒状の係止部が垂直に結合された構成となる。
【００２９】
〈第２の実施の形態〉
図１４は、本発明の筋力鍛錬機の第２の実施形態に係る構成図である。本実施の形態の筋力鍛錬機では、第１の実施の形態と比べて、更にガイドバー１００（１００ａ，１００ｂ）、スライド部１１０（１１０ａ，１１０ｂ）、バーベル１２０、係止部材１３０（１３０ａ，１３０ｂ）、連結部１４０（１４０ａ，１４０ｂ）、及びストッパー１５０（１５０ａ，１５０ｂ）を具備する。
【００３０】
ガイドバー１００、スライド部１１０、バーベル１２０、係止部材１３０、連結部１４０、及びストッパー１５０は、第１の実施の形態のガイドバー２０、スライド部５０、バーベル６０、係止部材７０、連結部８０、及びストッパー９０と同じ構成及び動作である。但し、１点だけ異なる。相違点は、バーベル１２０のシャフトが、第１の実施の形態と異なり、ストレートである点である。
【００３１】
本実施の形態の構成によると、ユーザは目的に応じてバーベル６０又はバーベル１２０を使い分けて筋力トレーニングを行うことができる。
【００３２】
上記第２の実施の形態では、折曲したシャフトを有するバーベル用と、ストレートのシャフトを有するバーベル用との２対のガイドバー（２０及び１００）が配置された構成について説明した。しかしながら、ガイドバー及び支持バーがそれぞれ１対であっても同じ効果を得ることができる。この構成の場合、両方のバーベル（６０及び１２０）を１対のガイドバー（２０又は１００）に上下になるように配置する構成となる。
【００３３】
上記第２の実施の形態では、支持バー３０が１対配置された構成を用いて説明したが、２対配置した構成であっても良い、この場合、一方がバーベル６０用の支持バーとなり、もう一方がバーベル１２０用の支持バーとなる。
【００３４】
以上好ましい実施の形態をあげて本発明が説明された。しかし、本発明は上記実施の形態に限定されない。その技術的思想の範囲内において様々に変形し実施することが出来る。例えば、フレーム部１０は、直方体状の枠体で説明されたが、形状の変更は適宜可能である。
【符号の説明】
【００３５】
１０    フレーム部
１１    土台
１２ａ，１２ｂ    支柱１２
１３ａ，１３ｂ    桁
１４    梁
２０ａ，２０ｂ    ガイドバー
３０ａ，３０ｂ    支持バー
４０ａ，４０ｂ    被係止部
５０ａ，５０ｂ    スライド部
６０    バーベル
６１ａ，６１ｂ    スリーブ
６２    シャフト
７０ａ，７０ｂ    係止部材
７１ａ，７１ｂ    係止部
７２ａ，７２ｂ    孔
８０ａ，８０ｂ    連結部
８１ａ，８１ｂ    スライド部側の板状部材
８２ａ，８２ｂ    バーベル側の板状部材
８３ａ，８３ｂ    孔
９０    ストッパー
１００ａ，１００ｂ    ガイドバー
１１０ａ，１１０ｂ    スライド部
１２０    バーベル
１３０ａ，１３０ｂ    係止部材
１４０ａ，１４０ｂ    連結部
１５０ａ，１５０ｂ    ストッパー
【図１】
2020116131.tif 000003
【図２】
2020116131.tif 000004
【図３】
2020116131.tif 000005
【図４】
2020116131.tif 000006
【図５】
2020116131.tif 000007
【図６】
2020116131.tif 000008
【図７】
2020116131.tif 000009
【図８】
2020116131.tif 000010
【図９】
2020116131.tif 000011
【図１０】
2020116131.tif 000012
【図１１】
2020116131.tif 000013
【図１２】
2020116131.tif 000014
【図１３】
2020116131.tif 000015
【図１４】
2020116131.tif 000016